(57)【特許請求の範囲】
【請求項１】
前面にクリア部材保持枠を開閉可能に設け、該クリア部材保持枠のクリア部材により遊技部の前面を覆った遊技機において、
上記クリア部材保持枠は、
中央部分に開口部を形成する合成樹脂製のクリア部材保持枠本体と、
該クリア部材保持枠本体の裏側四周に連続した状態で固定されるとともに、当該クリア部材保持枠の開閉支軸側にヒンジ部材が一体に形成された補助金属板と、
上記クリア部材を備えたガラスユニットと、
を備え、
上記ガラスユニットは、上記クリア部材が２枚平行に納められるガラス縁枠を備えるとともに、上記クリア部材保持枠本体の開口部を裏側から塞いでなり、
上記ガラスユニットのガラス縁枠の下部には、上記補助金属板の下部内周縁に嵌装される溝を設けた嵌装部を有し、
上記ガラス縁枠の上部には、上記クリア部材保持枠本体と嵌合する止着具を有することを特徴とする遊技機。
【請求項２】
上記嵌装部を補助金属板に嵌装する際の左右の位置決め突起を補助金属板の下部上縁に設けたことを特徴とする請求項１に記載の遊技機。
【請求項３】
上記クリア部材保持枠本体は、縁部を裏面側に折り返した折り返し部と前面部とによって凹室部を形成して、該凹室部に電気部品を収納可能に構成するとともに、該凹室部を上記補強金属板によりカバーしたことを特徴とする請求項１又は２に記載の遊技機。
【発明の詳細な説明】
【０００１】
【産業上の利用分野】
本発明は、前面にクリア部材保持枠を開閉可能に設け、該クリア部材保持枠のクリア部材により遊技部の前面を覆ったパチンコ遊技機やスロット遊技機（パチスロ遊技機）などの遊技機に関するものである。
【０００２】
【従来の技術】
従来、パチンコ機のクリア部材たるガラスを保持して前面側に開閉可能に備えられるクリア部材保持枠は金属製であり、補強部材は特に備えられていなかった。
【０００３】
一方、最近では、パチンコ機においてそのガラス保持枠であるクリア部材保持枠を合成樹脂により成型し、これを内枠たる前面枠に開閉可能に取り付けることが考えられている。このように合成樹脂によりクリア部材保持枠を形成することは、パチンコ機の前面側のデザインを金属製の場合に比べて任意に設計できるという長所を有し、また、合成樹脂製であればリサイクルが容易であり天然資源の保護にも寄与する。
【０００４】
【発明が解決しようとする課題】
しかしながら、クリア部材保持枠を樹脂化した場合、金属製に比べてクリア部材保持枠の強度が低下するおそれがある。更に、樹脂化したクリア部材保持枠にヒンジを単体で備えた場合、そのヒンジの取付強度の低下が心配される。
【０００５】
そこで、本発明の目的は、上記課題を解決し、クリア部材保持枠の樹脂化を図りつつその強度低下をなくしたクリア部材保持枠を備えた遊技機を提供しようとするものである。
【０００６】
【課題を解決するための手段】
本発明は上記目的を達成するために提案されたもので、請求項１に記載のものは、前面にクリア部材保持枠を開閉可能に設け、該クリア部材保持枠のクリア部材により遊技部の前面を覆った遊技機において、
上記クリア部材保持枠は、
中央部分に開口部を形成する合成樹脂製のクリア部材保持枠本体と、
該クリア部材保持枠本体の裏側四周に連続した状態で固定されるとともに、当該クリア部材保持枠の開閉支軸側にヒンジ部材が一体に形成された補助金属板と、
上記クリア部材を備えたガラスユニットと、
を備え、
上記ガラスユニットは、上記クリア部材が２枚平行に納められるガラス縁枠を備えるとともに、上記クリア部材保持枠本体の開口部を裏側から塞いでなり、
上記ガラスユニットのガラス縁枠の下部には、上記補助金属板の下部内周縁に嵌装される溝を設けた嵌装部を有し、
上記ガラス縁枠の上部には、上記クリア部材保持枠本体と嵌合する止着具を有することを特徴とする遊技機である。
【０００７】
請求項２に記載のものは、請求項１の構成に加えて、上記嵌装部を補助金属板に嵌装する際の左右の位置決め突起を補助金属板の下部上縁に設けたことを特徴とする遊技機である。
【０００８】
請求項３に記載のものは、請求項１または２の構成に加えて、上記クリア部材保持枠本体は、縁部を裏面側に折り返した折り返し部と前面部とによって凹室部を形成して、該凹室部に電気部品を収納可能に構成するとともに、該凹室部を上記補強金属板によりカバーしたことを特徴とする遊技機である。
【０００９】
【作用】
請求項１の発明においては、クリア部材保持枠本体を合成樹脂により成形しても裏側四周に連続した状態で設けた補助金属板が補強材として機能する。したがって、クリア部材保持枠全体としての強度を必要に応じて確保することができる。
また、補助金属板におけるクリア部材保持枠の開閉支軸側にヒンジ部材を一体的に設けたので、単独に補助金属板とヒンジを取り付ける場合に比べヒンジの取付強度が向上すると共に、組立作業が容易である。そして、ガラスユニットは、クリア部材が２枚平行に納められるガラス縁枠を備えるとともに、クリア部材保持枠本体の開口部を裏側から塞いでなり、ガラスユニットのガラス縁枠の下部には、補助金属板の下部内周面に嵌装される溝を設けた嵌装部を有し、上記ガラス縁枠の上部には、クリア部材保持枠本体と嵌合する止着部を有するので、ガラスユニットをクリア部材保持枠に簡単に取り付けられる。
【００１０】
【実施例】
以下、本発明の実施例を図面に基づいて説明する。
図１は代表的な遊技機であるパチンコ遊技機１の正面図、図２はパチンコ遊技機１の斜視図、図３はクリア部材保持枠２を開いた状態のパチンコ遊技機１の斜視図、図４は内枠（前面枠）３を外した状態のパチンコ遊技機１の斜視図、図５はパチンコ遊技機１の背面図である。
【００１１】
パチンコ遊技機１は、前後が開放した矩形の外枠（機枠）４と、該外枠４の一側（本実施例では図中左側）に上下のヒンジ５，５により外枠４の前面開口部分に対して開閉可能に軸着した額縁状の内枠３と、該内枠３の一側にヒンジ６，６により開閉可能に軸着して内枠３の上半を全幅にわたって被うようにして設けたクリア部材保持枠２と、該クリア部材保持枠２の下方一側にヒンジにより開閉可能に軸着して内枠３の下半を全幅にわたって被うようにして設けた開閉パネル７などからなり、内枠３の窓部から後方に一体成形した遊技盤収納枠８内に遊技盤９を装着してクリア部材保持枠２を閉じると、遊技盤９の表面に形成した遊技部１０がパチンコ遊技機１の前面に臨んで、この遊技部１０を遊技者がクリア部材保持枠２のクリア部材である板ガラス１１を通して見られるように構成されている。
【００１２】
そして、内枠３は、施錠装置の一部を構成するフック１２によって外枠４の他側の係止部材１３に施錠され、また、クリア部材保持枠２は、施錠装置を構成する他のフック１４によって内枠３の他側に施錠され、これらは内枠３の上部一側に設けたシリンダ錠１５の鍵穴に差し込んだ鍵を一方に回動すると内枠３が、他方に回動するとクリア部材保持枠２が解錠する構成となっている。
【００１３】
また、開閉パネル７の表面に上皿１６を、開閉パネル７の下側の内枠３の前面部分には下皿１７と打球発射装置１９の発射操作ハンドル２０をそれぞれ設けてある。
【００１４】
クリア部材保持枠２は、中央部分を大きく開口した合成樹脂製のクリア部材保持枠本体としてのロ字状ガラス保持枠本体２１と、該クリア部材保持枠本体の裏面側に固定された補助金属板２２と、クリア部材保持枠本体の開口部を塞ぐようにして取り付けた板状のクリア部材である板ガラス１１とが主要な構成部材であり、本実施例ではクリア部材保持枠本体の開口部の内側縁に内側から嵌め込まれたレンズ部材２３が付加されている。なお、クリア部材保持枠２の開口部の形状は、矩形に限定されるものではなく、例えば円形や楕円形でもよい。また、クリア部材は透明プラスチック板でもよい。
【００１５】
ガラス保持枠本体２１は、本実施例では図６に示すように、合成樹脂から成る左右２つのコ字状分割片２４ａ，２４ｂを端部の連結部２５ａ，２５ｂによって連結し、この連結により全体がロ字状に組み立てられる。このガラス保持枠本体２１の両縁部は裏面側に折り返した様に成形され、両折り返し部２５，２５と前面部とによって裏面側に開口した凹室部２６を形成し、この凹室部２６内に配線２７等の電気部品を収納できるように構成されている。なお、折り返し部２５，２５は、単に凹室部２６を形成するだけではなく、前面部と直交する方向に壁状に形成されているので、ガラス保持枠本体２１自体の強度を高める補強部としても機能している。そして、凹室部２６は、ガラス保持枠本体２１の裏面に取り付ける補助金属板２２によりカバーされる。したがって、補助金属板２２を取り付けた後は、凹室部２６内に収納した配線２７等の電気部品は、補助金属板２２により覆い隠されてしまい、クリア部材保持枠２を開放した状態でも体裁を損ねることはない。
【００１６】
本実施例におけるクリア部材保持枠２は、上部両隅角部に切欠部３１ａ，３１ｂを形成し、自由端側の切欠部３１ｂによって内枠３の閉止状態におけるシリンダ錠１５の肉厚な取付部分３２との干渉を回避し、軸着基端側の切欠部３１ａによってヒンジ５との干渉を回避する。この様に、シリンダ錠１５を内枠３の上部一側に配設すると、パチンコ遊技機１の前に遊技者が座っていたとしても、周囲からはシリンダ錠１５が良く見えるので、即ち店員が監視し易い位置にあるので、シリンダ錠１５に対する不正行為を有効に防止する効果がある。
【００１７】
また、クリア部材保持枠２の軸着基端側上部には、賞球ランプ３３と完了ランプ３４を一体化したランプ表示器を、上部中央部分にはパイロットランプ３５をそれぞれ設けるので、ガラス保持枠本体２１の左上部に開口部３６を開設し、該開口部内に裏側からレンズ部材を嵌合して取り付ける。なお、賞球ランプ３３と完了ランプ３４の発光源は外枠４に取り付けるので、詳細は後述する。
【００１８】
また、ガラス保持枠本体２１の上辺部には前面側に横長な凹部３７を形成し、この凹部３７内にパイロットランプ３５のランプ基板３９を取り付け、上記凹部３７を横長なレンズカバー４０で覆う。ランプ基板３９の取り付けは、図９に示すように、各ランプに導通したコネクタ４１を基板３９の裏面に設け、また、ガラス保持枠本体２１の凹部３７の底部に上記コネクタ４１に接続可能なコネクタ４２を貫通した状態で固定しておき、ランプ基板３９を前方から凹部３７内に後退させてランプ基板３９のコネクタ４１を凹部３７のコネクタ４２に接続するとともに、ランプ基板３９の止着孔内にビスを挿通してねじ止めする。したがって、ランプ基板３９を所定の位置に止着すれば、別途配線接続作業を行なう必要がない。なお、凹部３７のコネクタ４２に接続したパイロットランプ用の配線コード２７は、前記した凹室部２６内に通すと共に、ガラス保持枠本体２１と一体成型した凹室部２６内のコード止着部４３によって支持した状態で配線することが望ましい。
【００１９】
上記レンズカバー４０を凹部３７に取り付けるには、後端縁部を凹部３７内側に嵌め込み、係合突起４４を凹部３７の内側に係止することにより取り付ける。したがって、このレンズカバー４０は、ランプの光によって輝いて装飾効果を高めるばかりでなく、前記分割片２４ａ，２４ｂの上部接合部分を覆い隠して美観を向上させる機能もある。
【００２０】
クリア部材保持枠２の開口部の内縁下部および左右には、全体として略Ｕ字状に装飾ランプ表示器のレンズ部材２３を配置し、左右のレンズ部材２３の途中にはスピーカ４５，４５を設け、下部のレンズ部にはメッセージ表示部４６を設ける。このメッセージ表示部４６は、例えば“３．７ラッキー  ４．９交換”等を表示した表示札４７を出し入れ可能に収納してメッセージ表示できるようにしたものである。
【００２１】
このメッセージ表示部３５は、レンズ部材２３の下部中央部分に形成した段部４９に重ね合わされる横長なホルダー部材５０と表示札４７から成り、ホルダー部材５０の長方形の一辺（ここでは右辺）を開放した表示札取付部に、例えば“３．７ラッキー  ４．９交換”等のメッセージを表示した長方形の表示札４７を横から差し入れるようになっている。なお、表示札４７は、スライドさせる代わりに表示板４７の撓み性を利用して長方形の受け枠部内に嵌合させるようにしてもよい。
【００２２】
上記した構成から成るメッセージ表示部４６を取り付けるには、上側縁に一体成型した嵌合突起５１を、レンズ部材２３の段部に設けた嵌合孔５２に差し込み、下側縁の嵌合突起５３を、ガラス保持枠３１の下辺部に設けた嵌合孔５４に差し込むことによりクリア部材保持枠２に取り付ける。この様に、メッセージ表示部４６をクリア部材保持枠２に取り付ける際に、レンズ部材２３からクリア部材保持枠２の下部を覆うようにして装着すると、表示面積を大きく採ることができるばかりでなく、分割片２４ａ，２４ｂの下部接合部分を覆い隠して美観を向上させることができる。
【００２３】
また、レンズ部材２３の表面段部４９からメッセージ表示部４６の上面部にかけてパチンコ球が載って停止しないようにするため、図８に示すように、レンズ部材２３の表面段部４９の露出表面部分はパチンコ球が載置不可能な円弧状に形成し、また、これに続くメッセージ表示部４６の上面部の表面もパチンコ球が静止できない傾斜面を形成することが望ましい。
【００２４】
また、レンズ部材２３の裏側には、発光源として白熱ランプや蛍光灯を設けるが、これら発光源の配線コード２７を止着するために、図８に示すように、レンズ部材２３の内部に後方に延出する水平壁部或はリブを一体成型すると共に、この延出部５５に鈎形或はコ字状の配線止着部５６を複数箇所一体成型し、これら配線止着部５６により発光源の配線コード２７をバインド処理する。
【００２５】
上記した構成から成るガラス保持枠本体２１の裏側に固定する補助金属板２２は、本実施例では図６に示すように、門形に連結される左右２つのＬ字状の第１補助金属片６１，第２補助金属片６２と、この門形脚部の下端間を連結する第３補助金属片６３とを連結してなる。そして、第１，第２，第３補助金属片６１，６２，６３を全体としてロ字状に連結した状態でガラス保持枠本体２１の裏面に、図８に示すように、ボス部６４を利用してビス６５により強固に固定し、これによりガラス保持枠３０の強度を背面から補強する。このとき、第１補助金属片６１、第２補助金属片６２及び第３補助金属片６３は互いにそれぞれの端部において導通した状態で配設され、これにより電気的に連続し電気的容量の大きな塊となる。なお、各補助金属片６１，６２，６３の端部を導通させるには、補助金属片の端部を重合したり、或は別途連結金属片を当接してスポット溶接して一体化してもよいし、単に端部同士を接触させた状態で固定してもよい。また、補助金属板２２は一体打ち抜きにより一体型してもよい。
【００２６】
そして、上記した補助金属板２２の軸着側に近い部分（本実施例では第１補助金属片６１の上部屈曲部分近傍）の裏面には、アース用接触部６６を形成する。このアース用接触部６６は、補助金属片６１の一部を切り起こすなどして形成した弾性片により構成することが望ましく、クリア部材保持枠２を閉じた状態で内枠３に設けたアース用接触部６７に接触し、このアース用接触部６７を介して島設備に予め設けてあるアース線（図示せず）と接続する。したがって、クリア部材保持枠２を閉じると、ロ字状の補助金属板２２がアース線と導通し、これにより、遊技部１０内を流下する球の静電気などに起因するノイズを補助金属板２２から両アース用接触部６６，６７を介して島設備のアース線に逃すことができる。なお、内枠３側のアース用接触部６７については後述する。
【００２７】
また、上記した３つの補助金属片６１，６２，６３のうち、クリア部材保持枠２の開閉支軸側（図７の右側）に位置する第１補助金属片６１の上部と下部には、クリア部材保持枠開閉用の金属製ヒンジ部材を一体に設ける。上部に設けるヒンジ部材６は、補助金属片６１の一部を前方に折り曲げて水平部７１を形成し、この水平部７１にヒンジ軸７２を上向きに、且つスプリングの付勢により上方に突出する状態で設ける。なお、ヒンジ軸７２の下端をＬ字状に屈曲して操作部とし、この操作部を開口部から補助金属片６１の裏側に突出させ、この操作部を操作するとスプリングの付勢に抗してヒンジ軸７２を上下動できるように構成する。一方、下部に設けるヒンジ部材６は、補助金属片６１の一部を前方に折り曲げて水平部７３を形成し、この水平部７３にヒンジ軸孔７４を開設したものである。
【００２８】
図７に示すように、クリア部材保持枠２の下部のヒンジ部材であるヒンジ軸孔７４内に内枠３下部のヒンジ軸７５を嵌め込んで、クリア部材保持枠２の上部のヒンジ部材であるヒンジ軸７２を引き下げて突出長さを縮めた状態でこのヒンジ軸７２を内枠３上部のヒンジ軸孔７６に位置を合わせ、この状態で操作部から手を放すとヒンジ軸７２がスプリングの付勢により上昇し、突出したヒンジ軸７２がヒンジ軸孔７６内に嵌合する。したがって、クリア部材保持枠２を内枠３に開閉可能な状態で簡単に取り付けることができる。そして、この様にしてクリア部材保持枠２を取り付けると、クリア部材保持枠２側のヒンジ６，６が補助金属板２２に一体に設けてあるので、高い取付強度が得られる。
【００２９】
また、第１，第２，第３補助金属片６１，６２，６３のいずれも前面部分の外側の縁部を後方に折り返して折り返し部７７を形成する。この折り返し部７７がピアノ線等の侵入を防止する所謂忍び返し部として機能する部分なので、ガラス保持枠本体２１の後端よりも後方に突出する寸法に設定することが望ましい。そして、クリア部材保持枠２を閉じた状態で折り返し部７７が内枠３と重なり合う様に構成する。例えば、内枠３の前面、特に不正行為が行なわれ易い左右の辺に折り返し部７７が嵌合可能な凹部３′，３′を形成する。なお、フック１４側はその外枠に凹部３′を形成する。軸着側の凹部３′は、遊技盤９の側縁と内枠３の開口部の開口内縁との間に隙間を形成し、この隙間を凹部３′としてもよい。この様に構成すると、クリア部材保持枠２の左右部分と内枠３との間の隙間からピアノ線等が差し込まれても、これらの先端が折り返し部７７に当接し、これにより侵入を阻止することができ、特にフック１４に対する不正行為をも有効に防止することができる。
また、クリア部材保持枠２下端においては、図８に示すように、開閉パネル７の上端に折り返し部７７と嵌合可能な凹部７′を形成する。この様に構成すると、クリア部材保持枠２と開閉パネル７との間の隙間からピアノ線等を差し込んで不正行為を行なおうとしても、差し込んだピアノ線等の先端が凹部７′の奥の壁に当接したり、凹部７′の内面と重なり合った補助金属板２２の折り返し部７７に当接してしまい、内部に侵入することができない。したがって、ピアノ線等を侵入させて行なう不正行為を有効に防止することができる。
なお、折り返し部７７は、前面部に対して直交する方向に延設してあるので、ピアノ線等の侵入を防止する防犯機能だけではなく、補助金属板２２自体ひいてはクリア部材保持枠２全体の強度を高める補強機能をも兼ねるものである。
【００３０】
上記のように構成されたガラス保持枠本体２１には、ガラスユニット７８を裏側から取り付けて開口部を塞ぐ。このガラスユニット７８は、クリア部材である透明板ガラス１１をガラス縁枠７９内に２枚平行に納めて構成したもので、図７、図８に示すように、ガラス縁枠７９の下部には補助金属板２２下部内周縁に嵌装される溝８０を設けた嵌装部８１を左右２箇所に有し、ガラス縁枠７９の上部にはワンタッチでガラス保持枠本体２１と嵌合する止着具８２を有する。このため、ガラスユニット７８は、まず下部の嵌装部８１を補助金属板２２（第３補助金属片６３）に嵌装し、次いで上部の止着具８２によりガラス縁枠７９をガラス保持枠本体２１に固定することで、簡単にガラス保持枠本体２１に取り付けられる。この下部の嵌装部８１を補助金属板２２に嵌装する際の左右の位置決めを行なうため、補助金属板２２の下部上縁には位置決め突起８３が二箇所に設けてあり、この２つの位置決め突起８３，８３間に上記嵌装部８１，８１が位置するように定められている。なお、クリア部材は、板ガラス１１に限定されるものではなく、遊技部１０を透視することができる部材であれば、材質や形状は限定されるものではない。
【００３１】
また、ガラス縁枠７９の内周縁の前部には、図８に示すように、起立壁８４を板ガラス１１の前方に間隔を開けて形成し、ガラス保持枠本体２１に取り付けた状態で上記起立壁８４の先端（図８では上端）がレンズ部材２３の内面に近接するように構成してある。したがって、レンズ部材２３と板ガラス１１との間からピアノ線等が差し込まれても、上記起立壁８４がピアノ線等の侵入を阻止する。また、万一ピアノ線等が起立壁８４を越えて侵入しても、このピアノ線等の先端は、レンズ部材２３の内部に形成した前記延出部５５に当接し、この延出部５５により侵入が阻止される。このため、レンズ部材２３と板ガラス１１との間からピアノ線等を差し込んで行なう不正行為を防止することができる。
【００３２】
次に、外枠４について説明する。
外枠４は、ＡＢＳ樹脂などの合成樹脂により、上横部材４ａ、下横部材４ｂ、左縦部材４ｃ、及び右縦部材４ｄを有して前後が開放した矩形の枠体として成型されており、前面開口部分の下部には前面部４ｅを一体に形成して強度を高めてある。また、図１１及び図１２に示すように、上横部材４ａの上面側、下横部材４ｂの下面側にはそれぞれ大きな補強リブ９１…により区画して有底空部９２…を形成してある。即ち、外枠４の外周面に凹部状の空部９２…を形成して肉厚を調整すると共に、各空部９２間に補強リブ９１を形成して所要の強度を確保している。なお、左縦部材４ｃの左側面側、および右縦部材４ｄの右側面側にもそれぞれ補強リブ９１を形成して補強してもよい。
【００３３】
また、補強リブ９１には、外枠４の上横部材４ａ及び下横部材４ｂのそれぞれに、島設備への取付部材である釘を通すための貫通孔９３を両端近傍に形成する。そして、上横部材４ａの貫通孔９３は横長孔として形成し、下横部材４ｂの貫通孔９３は、釘１本に対応する丸孔を外枠４の前後方向に３連に配置した形態で形成する。
【００３４】
また、左右の縦部材４ｃ，４ｄの上端近傍の外側面および下端近傍の外側面には、後述する補強金属板９４の厚さに対応した段部９５を形成する。上端近傍に形成する段部９５は前後長さの全長にわたって形成し、下端近傍に形成する段部９５は前後長さの内、前方の一部を残して形成し、補強金属板９４を取り付けた際に、補強金属板９４の外面と左右の縦部材４ｃ，４ｄの外面とがほぼ面一になるように構成する。
【００３５】
このように構成された外枠４には、図５に示すように、遊技盤収納枠８の裏側に取り付けた球排出機構などの裏メカユニット（裏機構）９６を担持する内枠３が上下のヒンジ５，５により取り付けられる。したがって、外枠４はこの重量に耐える強度を充分に有する必要があり、上記補強リブ９１による構成はこの要求に対して充分な強度を提供するものとなる。しかし、反面、この外枠４を島設備に取り付ける場合、外枠４の上横部材４ａの上面及び下横部材４ｂの下面が島設備に対して接触する面積が補強リブ９１の端縁の総面積と横部材４ａ，４ｂの周縁の総面積との和となるため、従来の木枠の場合に比べ非常に小さくなり、頑丈な設置が困難となる。
【００３６】
そこで、外枠４の上横部材４ａの上面には、島設備との接触面を形成する補強金属板９４を取り付け、また外枠４の下横部材４ｂの下面には、同じく島設備との接触面を形成する補強金属板９７を取り付ける。
【００３７】
上横部材４ａの上面に添設する補強金属板９４は、鉄板やアルミニウム板などをコ字状に屈曲した部材であり、図１１に示すように、外枠４の上横部材４ａの上面の左右全長を被う平面部９８と、その両端にＬ字状に折り曲げて形成した外枠４側面の一部を被う側面部９９，９９とを有し、この側面部９９，９９に設けた小孔により外枠４の側面にネジ止めされる。
【００３８】
一方、下横部材４ｂの下面に添設する補強金属板９７は、上横部材４ａに添設する補強金属板９４と同様の構成であるが、前後幅は、下横部材４ｂの前後長さよりも短く設定してある。これに対して、上記した上横部材用補強金属板９４は、上横部材４ａの前後長さの全域を被う前後長さに設定してある。この様に、下横部材４ｂに添設する補強金属板９７の前後幅を狭くした理由は、外枠４の取り付けた状態で、補強金属板９７の外面が外枠４の外面とほぼ面一になり、しかも前端縁が段部９５に隠されて遊技者から見えなくなり、これにより見栄えを良くするためである。なお、上横部材４ａに取り付ける補強金属板９４は、遊技者の視線が届き難いので、前端縁が見えても目立たない。
【００３９】
外枠４は、上横部材４ａの上面及び下横部材４ｂの下面が補強金属板９４，９７の各平面部９８で被われて空部９２の開口部分が閉塞されるので、島設備との接触面が大きくなり、強固な取付が可能となる。また、外枠４の縦部材４ｃ，４ｄの側面の隅角部が補強金属板９４，９７の側面部９９，９９により被われるため、外枠４自体の強度（剛性）が補強リブ９１による補強と相俟って著しく高められ、補強を確実なものとしている。
【００４０】
また、上面側の補強金属板９４の側面部９９には、内枠開閉用ヒンジ５を構成するヒンジ部材として、筒状軸受部５ａを一体に設ける。この様に、補強金属板９４にヒンジ５の軸受部５ａを一体に形成すると、内枠３の裏側に設けた球排出機構をはじめとする裏メカユニット９６等の重量が大きくても、この大きな重量を上横部材４ａの全面に分散させることができるので、外枠４に局部的な負荷を掛けることを防止することができ、これにより内枠３等を強固且つ安定した状態で支持することができる。しかも、従来の様に、ヒンジ５の軸受部５ａを別個に作成する場合に比較して、その製造コストの低減を図ることができる。
【００４１】
また、上横部材４ａに取り付ける補強金属板９４の島設備との接触面、即ち平面部９８には、島設備との接触抵抗を更に大きくするために滑べり止め突起１００を切り起こしにより形成すると共に、釘を挿通するために上横部材４ａの貫通孔９３に対応する位置に横長の貫通孔１０１を開設する。
【００４２】
一方、下横部材４ｂの補強金属板９７には、その貫通孔９３…に対応する３つの貫通孔１０２…を開設する。
【００４３】
外枠４は、この上横部材４ａの貫通孔９３，１０１に通した釘を打って上部を島設備の上横材に止着した後、下部を前後動することにより所定の傾斜角度に調整し、その角度調整された姿勢位置で下横部材４ｂの貫通孔１０２に釘を通して打ち付けることにより下部を島設備の下横材に固定し、これにより島設備に所定の傾斜角度で設置される。したがって、補強金属板９７は島設備との接触面として機能する。そして、この様にして島設備に設置すると、補強金属板９４と島設備との面接触に加えて、補強金属板９４の滑べり止め突起１００…が島設備の木製上横材に食い込むので、パチンコ遊技機１は初期の設置角度を維持する。
なお、外枠４を島設備に固定する取付部材は、釘に限定されるものではなく、例えば木ねじ、ボルトなどでもよい。
【００４４】
外枠４と内枠３は合成樹脂製なので、不正行為を防止するための構成も容易に設けることができる。本実施例では、外枠４の上下の横部材４ａ，４ｂおよび左右の縦部材４ｃ，４ｄの各前端面に受け凹溝１０５を形成し、内枠３の裏面に補強部材と防犯部材を兼ねた金属プレート１０６，１０７，１０８，１０９を設けている。即ち、図４および図１３に示すように、外枠４の上横部材４ａ、下横部材４ｂ、左縦部材４ｃ、および右縦部材４ｄの各部材の接合部分（前端縁部分）を合成樹脂により断面コ字状に一体に形成し、これにより各外枠構成部材の全長にわたって受け凹溝１０５が一連に形成されて前面側に開口される。
【００４５】
また、図１３に示すように、受け凹溝１０５内には中間部分に止着部としてボス部を有する補強リブ１１０を両側の受け溝内壁間に形成し、これら補強リブ１１０と受け凹溝１０５とで外枠４の補強部を構成している。なお、補強リブ１１０のボス部は、一部の補強リブ１１０に形成するようにしてもよい。また、内枠の軸着基端側であるヒンジ５，５側の左縦部材４ｃには、図１５に示すように、左縦部材４ｃの前端縁近傍の内面に開口部が外枠４の内側（右側）に開口した一条の横向き凹溝１１１を上下方向に形成する。そして、図面に示す実施例では受け凹溝１０５の一方の内壁を後退させて凹溝１１１を受け凹溝１０５の外部に形成したが、内壁を後退させることなく、受け凹溝１０５内に横向き凹溝１１１を形成してもよい。
【００４６】
この様に、本実施例における外枠４は、上横部材４ａ、下横部材４ｂ、左縦部材４ｃ、及び右縦部材４ｄを有して前後が開放した矩形の枠体として成型されており、枠体の主要構成部材４ａ，４ｂ，４ｃ，４ｄのそれぞれが、前半部分は前面が開口して補強リブ１１０で補強された断面コ字形のボックス状に成型され、後半部分は補強リブ９１で補強された有底空部９２付の板状に成型されている。したがって、外枠４は、合成樹脂製であっても、各構成部材４ａ，４ｂ，４ｃ，４ｄは勿論のこと全体としても必要且つ十分な強度を確保することができる。
【００４７】
一方、内枠３の裏面側には、図４に示すように、内枠３を閉じると外枠４の受け凹溝１０５内或は凹溝１１１内に嵌合する起立部を形成した金属プレート１０６，１０７，１０８，１０９を上下左右の各外周縁に沿って取り付ける。
【００４８】
内枠３の上片、下辺、および右辺の裏面に取り付けられて、外枠４の上横材４ａ、下横材４ｂ、および右横材４ｄの各受け凹溝１０５内に嵌合する金属プレート１０６，１０７，１０９は、いずれも同様の構成であり、例えば右辺の裏面に取り付ける金属プレート１０９は、図１６に示すように、内枠裏面に止着する止着部の一側を後方に折り曲げて起立部１１２を形成した長尺な金属屈曲片である。この金属プレート１０９を裏面に止着して内枠３を閉じると、起立部１１２が内枠３の裏面よりも後方に突出しているので、該起立部１１２が外枠４と重合することなり、異物侵入阻止部を構成する。そして、本実施例では起立部１１２が受け凹溝１０５内に嵌合して異物侵入阻止部を構成する。
【００４９】
外枠４と内枠３との間の隙間Ｇからピアノ線等の異物を差し込んだ場合、この差し込んだ異物を更に深く侵入させようとすると、異物の先端が金属プレート１０９の起立部１１２に当接して侵入が阻止される。即ち、金属プレート１０９の起立部１１２が所謂忍び返しとして機能し、ピアノ線等の侵入を阻止する。そして、起立部１１２に当接した状態でピアノ線等の異物を強引に押し込んで、異物の先端が後方に曲って進んだとしても、受け凹溝１０５の底部が閉塞しているので、これ以上に異物が侵入することを確実に阻止することができる。したがって、外枠４と内枠３との上下および右側の隙間Ｇから異物を侵入させて不正行為が行なわれることを確実に阻止することができる。しかも、上記金属プレート１０９は金属製なので、加熱されたピアノ線等によって溶かされて突き破られるおそれもない。
【００５０】
なお、異物の先端が起立部１１２に当接してから受け凹溝１０５の底部の方に折り曲げ、更に金属プレート１０９の起立部１１２を超してから異物を折り返して、起立部１１２の奥と受け凹溝１０５内壁間を通してパチンコ遊技機１の内部に侵入させることは理論上は可能であるが、パチンコ遊技機１の外部から細長い異物の一端を操作して上記の様な動きをなさしめることは事実上できない。したがって、外枠４の受け凹溝１０５と内枠３の金属プレート１０９の起立部１１２との嵌合による異物侵入阻止部により確実に異物の侵入を阻止することができる。
【００５１】
また、上記した金属プレート１０６，１０７，１０９は、内枠３の面に対して起立した起立部を全長にわたって有しているので、この金属プレート１０６…が内枠３の補強材としても機能することとなり、合成樹脂製内枠３の強度（剛性）を高めることができる。
【００５２】
内枠３の左辺の裏面に取り付けられる金属プレート１０８は、図１５に示すように、内枠３の裏面に当接して上下に延びる平坦止着部と、該平坦止着部の一側（ヒンジ５側）から後方にほぼ９０度折り曲げて起立部を形成し、さらにその起立部の先端部分を平坦止着部と平行になるようにほぼ９０度外側に折り曲げて嵌合部１１３を形成し、全体の屈曲部分形状がほぼ鈎形となるように成形されている。そして、この金属プレート１０８を内枠３の左辺の裏面に外周縁に沿って取り付けると、起立部及び嵌合部１１３が内枠３の背面よりも後方に突出する。
【００５３】
したがって、内枠３を閉じると、図１５に示すように、起立部が外枠４の左縦部材４ｃの前端部分の内側と重合し、嵌合部１１３が左縦部材４ｃの忍び返し用凹溝１１１内に嵌合する。この様に、外枠４及び内枠３のヒンジ側では、起立部が左縦部材４ｃの内側に重合するとともに、起立部から外枠４側に屈曲した嵌合部１１３が外枠４の忍び返し用凹溝１１１内に嵌合することで異物侵入阻止部が構成される。
【００５４】
この様な構成から成る異物侵入阻止部にあっては、外枠４と内枠３との間の隙間Ｇからピアノ線等の異物を差し込んだ場合、この差し込んだ異物を更に深く侵入させようとすると、異物の先端が起立部に当接して侵入が阻止され、無理に押し込んで異物の先端が後方に折れ曲って進んでも、起立部の先端では嵌合部１１３が更に屈曲しているので、この嵌合部１１３がこれ以上異物が侵入することを確実に阻止することができ、さらに異物の先端部分を万一折り返したとしても、この折り返した異物先端は凹溝１１１の底部に当接して行く手を阻まれる。
したがって、外枠４と内枠３との上下および左右の隙間Ｇから異物を侵入させて不正行為が行なわれることを確実に阻止することができる。
【００５５】
この様に、金属プレート１０６，１０７，１０８，１０９は、防犯機能のみならず補強機能をも兼ね備えているので、内枠３の縦部材や横部材の全長にわたって設けることが最善であるが、防犯上から特に必要な部分にだけ設けてもよい。例えば、球排出機構の側方に金属プレートを配置するようにしてもよい。この様にすると、球排出機構が不正に操作されて、球が不正に排出されることを少なくとも防止することができる。
【００５６】
また、上記金属プレート１０８は、上端部と下端部に、ヒンジ５，５の一部を構成するヒンジ部材を一体に形成してある。具体的には、図１５に示すように金属プレート１０８の上端を前方に折り曲げて該屈曲部に軸５ｂを下向きに固定し、この軸５ｂを前記軸受部５ａ内に嵌合するヒンジ用軸とし、また、下端部を同様に前方に折り曲げて該屈曲部に軸受孔を開設し、この軸受孔を、外枠４の下側ヒンジ５の一部を構成している軸５ｃが嵌合するヒンジ用軸孔とする。
【００５７】
この様に、金属プレート１０８にヒンジ用の部材を一体に形成すると、内枠３の裏側に設けた裏メカユニット９６等の重量が大きくて内枠側のヒンジ部材に掛かる負荷が大きくても、この大きな重量を内枠３の軸着側に縦方向に一連に固定してある金属プレート１０８全体に分散させて受けることができ、しかも金属プレート１０８自体が補強材として機能する程に頑丈なので、安定した状態で確実に支えることができる。また、金属プレート１０８に一体形成したヒンジ部材に相当する部材を別個に作成するよりも安価であるし、取付作業も容易である。なお、下端に形成した軸受孔の相手側となる金属製軸５ｃは、図４に示すように、外枠４に形成した突部に上向きに圧入されている。
【００５８】
また、図９に示すように、内枠３の上辺を補強する金属プレート１０６の前面にアース用接触部６７として金属製接触突起を突設し、この接触突起を内枠に開設した開口部内に臨ませて先端を内枠３の前面から僅かに突出させる。そして、この接触突起を設ける金属プレート１０６は、上側ヒンジ部材５ｂを一体形成した金属プレート１０８と導通させてある。
【００５９】
したがって、クリア部材保持枠２を閉じると、クリア部材保持枠２側のアース用接触部６６が内枠３側の接触突起６７に接触して導通し、これによりクリア部材保持枠２の補助金属板２２が内枠３の金属プレート１０６，１０８とが導通し、しかもヒンジ部材５ｂを介して外枠４の補強金属板９４に導通する。島設備には予めアース線が配線してあるので、パチンコ遊技機１を島設備に設置してアース線を外枠４の補強金属板９４に導通させると、クリア部材保持枠２のロ字状補強金属板２２と島設備のアース線とが導通する。したがって、遊技部１０内を流下する球の静電気などに起因するノイズを島設備のアース線に確実に逃すことができる。
なお、クリア部材保持枠２の補強金属板２２を接地する構成としては、上記に限らず、例えば内枠３側のヒンジ６を内枠用補強金属プレート１０８と一体に構成し、このヒンジ６から金属プレート１０８を介してヒンジ５に導通させ、ヒンジ５を一体に形成した補強金属板９４からアース線に接続してもよいし、ヒンジ６や金属プレート１０８にアース線を接続してもよい。
【００６０】
また、本実施例では図１７に示すように、外枠４の上横部材４ａの受け凹溝１０５を利用して、外枠４自体に電気的部材の一例として賞球・完了ランプ装置を取り付けてある。即ち、受け凹溝１０５内には、その補強リブ１１０のボス部上にランプ基板１１５を載置し、その中央部をネジによりボス部に止着する。この賞球・完了ランプ基板１１５は、受け凹溝１０５の溝延在方向に並べて配設した２つのランプ１１６，１１７と、その中間に配設された光漏洩防止用の仕切りプレート１１８とを担持しており、その配線コードは受け凹溝１０５底部に設けた開口部１１９を抜けて裏側に導出されている。
【００６１】
そして、内枠３には、この賞球・完了ランプ基板１１５の位置に対応させて開口窓１２０を開設し、上記２つのランプ１１６，１１７はこれを通してクリア部材保持枠２に嵌め込まれた左右二色の賞球ランプ３３・完了ランプ３４の各レンズを照らし得るように構成されている。したがって、賞球排出時には賞球ランプ３３が、また、打止あるいは球補給状態になると完了ランプ３４がそれぞれ別個に輝いてその旨を可視表示することができる。なお、外枠４の受け凹溝１０５内に止着する電気的部材は、上記した賞球・完了ランプに限定されるものではなく、例えば大当りの発生など遊技に関連して点灯・点滅する装飾ランプやこれらの配線コードでもよい。
【００６２】
上記実施例では、金属プレート１０６，１０７，１０８，１０９を内枠３の裏面に別個に取り付けて全体としてほぼロ字状に配設したが、ロ字状に一体化した金属プレート、或はＬ字状の金属プレートを組み合せて設けてもよいし、或は前記したように、球排出機構など不正行為がなされやすい重要な部材の近傍に限って設けてもよい。そして、いずれにおいても、金属プレート１０６，１０７，１０８，１０９は、内枠３の裏面にネジ止めすることにより、或は内枠裏面に一体成型により突設した突起を金属プレート１０６，１０７，１０８，１０９の取付孔に通してから突出した部分を熱で潰すなどして、強固に固定する。
【００６３】
また、上記した実施例はパチンコ遊技機１について説明したが、本発明はこれに限定されるものではなく、例えばパチスロ遊技機、アレンジボール遊技機、雀球遊技機など、遊技を直接行なう遊技部１０が前面に臨む遊技機であればどのような遊技機でもよい。
【００６４】
【発明の効果】
以上説明したように本発明によれば、クリア部材保持枠本体を合成樹脂で形成し、裏面側四周に連続した状態で補助金属板を設けたので、樹脂化による装飾効果を向上させつつ強度的にも十分なクリア部材保持枠を得ることができる。また、補助金属板におけるクリア部材保持枠の開閉支持側にヒンジ部材を一体的に備えているので、ヒンジの取付強度が向上し耐久性が増す。
【００６５】
そして、ガラスユニットは、クリア部材が２枚平行に納められるガラス縁枠を備えるとともに、クリア部材保持枠本体の開口部を裏側から塞いでなり、ガラスユニットのガラス縁枠の下部には、補助金属板の下部内周面に嵌装される溝を設けた嵌装部を有し、ガラス縁枠の上部には、クリア部材保持枠本体と嵌合する止着部を有するので、ガラスユニットをクリア部材保持枠に簡単に取り付けられる。
【００６６】
また、クリア部材保持枠本体の裏面側に形成した凹室部に配線等の電気部品を収納し、該凹室部を補強金属板によりカバーするように構成しているので、配線処理等を整然と行うことができる。したがって、クリア部材保持枠を開閉しても配線等が引っ掛かることもないし、また、開放状態での体裁も向上する。
【図面の簡単な説明】
【図１】パチンコ遊技機の正面図である。
【図２】パチンコ遊技機の斜視図である。
【図３】クリア部材保持枠を開いた状態におけるパチンコ遊技機の斜視図である。
【図４】外枠に対する内枠の取り付けを示す斜視図である。
【図５】パチンコ遊技機の背面図である。
【図６】クリア部材保持枠の一部省略分解斜視図である。
【図７】内枠への取付を示すクリア部材保持枠の背面図である。
【図８】クリア部材保持枠の下部の断面図である。
【図９】パチンコ遊技機の上部の断面図である。
【図１０】外枠の正面図である。
【図１１】外枠の上横部材および該上横部材に取り付ける補強金属板の斜視図である。
【図１２】（ａ）は外枠の下部の斜視図、（ｂ）は外枠の底面図、（ｃ）は下横部材に取り付ける補強金属板の斜視図である。
【図１３】外枠の右上部隅角部の拡大斜視図である。
【図１４】外枠の右縦部材の断面図である。
【図１５】パチンコ遊技機の外枠に内枠が閉じた状態における左縦部材を一部断面にして示す平面図である。
【図１６】パチンコ遊技機の外枠に内枠が閉じた状態における右縦部材を一部断面にして示す平面図である。
【図１７】外枠の左上部隅角部の拡大斜視図である。
【符号の説明】
１  パチンコ遊技機
２  クリア部材保持枠
３  内枠
４  外枠
５  内枠用のヒンジ
６  クリア部材保持枠用のヒンジ
７  開閉パネル
８  遊技盤収納枠
９  遊技盤
１０  遊技部
１１  ガラス
１２  内枠用のフック
１３  係止部材
１４  クリア部材保持枠用のフック
１５  シリンダ錠
２１  ガラス保持枠本体
２２  補助金属板
２３  レンズ部材
２４  ガラス保持枠本体の分割片
２５  折り返し部
２６  凹室部
２７  配線コード
３１  切欠部
３３  賞球ランプ
３４  完了ランプ
３５  パイロットランプ
３９  ランプ基板
４０  レンズカバー
４１  ランプ基板側のコネクタ
４２  ガラス保持枠本体側のコネクタ
４３  コード止着部
４６  メッセージ表示部
４７  表示札
５０  ホルダー部材
５６  配線止着部
６１  第１補助金属片
６２  第２補助金属片
６３  第３補助金属片
６６  クリア部材保持枠側のアース用接触部
６７  内枠側のアース用接触部
７１  ヒンジ部材である水平部
７２  ヒンジ部材であるヒンジ軸
７３  ヒンジ部材である水平部
７４  ヒンジ部材であるヒンジ軸孔
７８  ガラスユニット
７９  ガラス縁枠
８０  溝
８１  嵌装部
８２  止着具
８３  位置決め用の突起
８４  起立壁
９４  外枠上部用の補強金属板
９７  外枠下部用の補強金属板
１０６，１０７，１０８，１０９  金属プレート
１１１  凹溝
１１２  起立部
１１３  嵌合部
【図１】
0003570779.tif 000002
【図２】
0003570779.tif 000003
【図３】
0003570779.tif 000004
【図４】
0003570779.tif 000005
【図５】
0003570779.tif 000006
【図６】
0003570779.tif 000007
【図７】
0003570779.tif 000008
【図８】
0003570779.tif 000009
【図９】
0003570779.tif 000010
【図１０】
0003570779.tif 000011
【図１１】
0003570779.tif 000012
【図１２】
0003570779.tif 000013
【図１３】
0003570779.tif 000014
【図１４】
0003570779.tif 000015
【図１５】
0003570779.tif 000016
【図１６】
0003570779.tif 000017
【図１７】
0003570779.tif 000018